(57)【要約】【課題】  従来の表示装置では、例えば所定の列が暗くなるという問題があった。【解決手段】  一実施形態に係る表示装置は、第１発光素子と、第１発光素子と同じ行に配置された第２発光素子と、第１発光素子と同じ列に配置された第３発光素子と、第３発光素子と同じ行に配置された第４発光素子と、を備える。当該表示装置は、第１発光素子及び第２発光素子に接続された第１コモンラインと第３発光素子及び第４発光素子に接続された第２コモンラインとを走査可能な走査部と、第１発光素子及び第４発光素子に接続され第１発光素子及び第４発光素子を駆動可能な第１駆動部と第２発光素子及び第３発光素子に接続され第２発光素子及び第３発光素子を駆動可能な第２駆動部とを有する駆動ＩＣと、を更に備える。【選択図】  図１
2012155066.tif 000002
【特許請求の範囲】
【請求項１】
第１発光素子と、前記第１発光素子と同じ行に配置された第２発光素子と、前記第１発光素子と同じ列に配置された第３発光素子と、前記第３発光素子と同じ行に配置された第４発光素子と、を備える表示装置であって、
前記第１発光素子及び前記第２発光素子に接続された第１コモンラインと、前記第３発光素子及び前記第４発光素子に接続された第２コモンラインと、を走査可能な走査部と、
前記第１発光素子及び前記第４発光素子に接続され前記第１発光素子及び前記第４発光素子を駆動可能な第１駆動部と、前記第２発光素子及び前記第３発光素子に接続され前記第２発光素子及び前記第３発光素子を駆動可能な第２駆動部と、を有する駆動ＩＣと、を備えることを特徴とする表示装置。
【請求項２】
前記第１発光素子及び前記第３発光素子が配置された列において、
前記第１発光素子と前記第３発光素子とが繰り返し配置されていることを特徴とする請求項１に記載の表示装置。
【請求項３】
前記第４発光素子は、前記第２発光素子と同じ列に配置されていることを特徴とする請求項１又は２に記載の表示装置。
【発明の詳細な説明】
【技術分野】
【０００１】
本願発明は複数の発光素子を有する表示装置に関する。
【背景技術】
【０００２】
今日、発光素子としてＬＥＤ(発光ダイオード)を用いたディスプレイが使用されている。一般的には、ＬＥＤを用いたディスプレイは、設置場所に合わせて複数の表示装置を組み合わせることにより構成される。
【０００３】
表示装置には、単数又は複数の発光素子からなる１画素が多数配置されている（例えば特許文献１）。例えば、１つの表示装置において１画素がｍ行×ｎ列で行列配置される場合、各行に位置する各発光素子のアノード端子が１つのコモンラインに共通に接続され、各列に位置する各発光素子のカソード端子が１つのセグメントラインに共通に接続される。各セグメントラインには、入力データに応じて発光素子を所定のタイミングで所定の時間だけ駆動させるための駆動ＩＣが接続されている。駆動ＩＣ内部には例えばｎ個の駆動部が設けられており、各セグメントラインがそれぞれの駆動部に接続されている。そして、ｍ行のコモンラインが順次選択され、選択されたコモンラインに接続された発光素子を駆動ＩＣ内部に設けられた各駆動部にて駆動することにより、全体として任意の画像を表示させることができる。
【先行技術文献】
【特許文献】
【０００４】
【特許文献１】特開平７−３０６６５９
【発明の概要】
【発明が解決しようとする課題】
【０００５】
しかしながら、従来の表示装置では、例えば、各列に配置された全ての発光素子が駆動ＩＣ内部に設けられた共通の駆動部にて駆動されるため、ｍ行×ｎ行で配置された全ての発光素子を同じ明るさで表示させようとしても所定の列が暗くなったり明るくなったりするという問題があった。
【課題を解決するための手段】
【０００６】
一実施形態に係る表示装置は、第１発光素子と、第１発光素子と同じ行に配置された第２発光素子と、第１発光素子と同じ列に配置された第３発光素子と、第３発光素子と同じ行に配置された第４発光素子と、を備える。当該表示装置は、第１発光素子及び第２発光素子に接続された第１コモンラインと第３発光素子及び第４発光素子に接続された第２コモンラインとを走査可能な走査部と、第１発光素子及び第４発光素子に接続され第１発光素子及び第４発光素子を駆動可能な第１駆動部と第２発光素子及び第３発光素子に接続され第２発光素子及び第３発光素子を駆動可能な第２駆動部とを有する駆動ＩＣと、を更に備える。
【図面の簡単な説明】
【０００７】
【図１】図１は、実施の形態１に係る表示装置を説明するためのブロック図である。
【図２】図２は、実施の形態２に係る表示装置を説明するためのブロック図である。
【発明を実施するための形態】
【０００８】
本発明を実施するための形態を、以下に図面を参照しながら説明する。ただし、以下に示す形態は、本発明の技術思想を具体化するための表示装置を例示するものであって、本発明を以下に限定するものではない。
【０００９】
＜実施の形態１＞
図１に、実施の形態１に係る表示装置１００のブロック図を示す。表示装置１００は、第１発光素子１−１と、第１発光素子１−１と同じ行（図の横方向）に配置された第２発光素子１−２と、第１発光素子１−１と同じ列（図の縦方向）に配置された第３発光素子１−３と、第３発光素子１−３と同じ行に配置された第４発光素子１−４と、を備える（説明の便宜上、発光素子１が設けられた領域を表示部１０とする。）。更に、表示装置１００は、第１発光素子１−１及び第２発光素子１−２に接続された第１コモンラインＣ１と第３発光素子１−３及び第４発光素子１−４に接続された第２コモンラインＣ２とを走査可能な走査部２０と、第１発光素子１−１及び第４発光素子１−４に接続され第１発光素子１−１及び第４発光素子１−４を駆動可能な第１駆動部３１−１と第２発光素子１−２及び第３発光素子１−３に接続され第２発光素子１−２及び第３発光素子１−３を駆動可能な第２駆動部３１−２とを有する駆動ＩＣ３０と、を更に備える。
【００１０】
これにより、列間における発光素子の明るさのばらつきを軽減することができる。以下、詳細に説明する。
【００１１】
従来の表示装置は、行方向に配置された複数の発光素子が共通のコモンラインに接続され、列方向に配置された複数の発光素子が共通のセグメントラインを介して１つの駆動部に接続されている。コモンラインは走査部により順に走査され、選択されたコモンラインに対応する発光素子を駆動部にて時分割で駆動することにより、全体として所定の画像を表示することができる。ここで、各セグメントラインに対応する複数の駆動部は、１つの駆動ＩＣに組み込まれているのが通常である。つまり、一列に配置された複数のＬＥＤの全部又は一部は、駆動ＩＣに組み込まれた１つの駆動部にて共通して駆動される。
【００１２】
ところが、１つの駆動ＩＣにおいて、各駆動部による発光素子の駆動は一定ではない。つまり、１つの駆動ＩＣにおいて、各駆動部に同じ階調データが入力された場合、各駆動部に接続された全ての発光素子が同じ明るさで発光するのが理想ではあるが、一部の駆動部で駆動時間や波形にばらつきが生じる場合があった。詳細は明らかでないが、市販されている同じ型番の駆動ＩＣでは駆動部の位置により明るさのばらつきに一定の傾向があることから、駆動ＩＣ内部で生じる熱の偏在が主な要因として考えられる。駆動ＩＣの特性による明るさのばらつきは僅かではあるが、表示品質の更なる向上が求められている昨今においては決して無視できない問題である（特に、低輝度（短い駆動時間）で各発光素子１を駆動する場合に明るさのばらつきは目立ち易い。）。
【００１３】
そこで、実施の形態１では、第１発光素子１−１を第１駆動部３１−１で、第１発光素子１−１と同じ列に配置された第３発光素子１−３を第１発光素子１−１と同じ行で異なる列に配置された第２発光素子１−２を駆動可能な第２駆動部３１−２で、それぞれ駆動可能としている。つまり、同じ列に配置された発光素子１−１、１−３を駆動ＩＣ３０の異なる駆動部３１−１、３１−２にて駆動することにより、駆動ＩＣの特性に起因する明るさのばらつきを軽減することができる。
【００１４】
さらに、第１発光素子１−１と同じ行で異なる列に配置された第２発光素子１−２を第３発光素子１−３を駆動可能な第２駆動部３１−２で、第３発光素子１−３と同じ行に配置された第４発光素子１−４を第１発光素子１−１を駆動可能な第１駆動部３１−１で、それぞれ駆動可能としている。つまり、列数だけの駆動部３１を用いて（列数以上の駆動部を用いることなく）各発光素子１を駆動することができるので、回路構成を複雑にすることなく、列間における明るさのばらつきを軽減することができる。
【００１５】
第１発光素子１−１及び第３発光素子１−３が配置された列において、第１発光素子１−１と第３発光素子１−３とが繰り返し配置されていることが好ましい（つまり、第１発光素子１−１、第３発光素子１−３、第１発光素子１−１及び第３発光素子１−３が順に配置されていることが好ましい。）。特に、図１のように、第１発光素子と第３発光素子とが交互に繰り返し配置されていることが好ましい（図１では、３列目のラインにおいて、上から順に、第１発光素子１−１、第３発光素子１−３、第１発光素子、第３発光素子、第１発光素子及び第３発光素子が交互に繰り返し配置されている）。これにより、列間における明るさのばらつきをより軽減することができると共に、第１発光素子１−１及び第３発光素子１−３が配置された一列における明るさのばらつきを軽減することができる。
【００１６】
ここでは、実施の形態２と異なり、第４発光素子１−４を第２発光素子１−２と同じ列に配置させている。これにより、従来と異なる配線パターンが必要とされる列を最小の２つとすることができるので、よりシンプルな回路構成で上記効果を得ることができる。
【００１７】
すでに述べたように、市販されている同じ型番の駆動ＩＣであれば、明るさのばらつきには一定の傾向がある。したがって、例えば、評価用の表示装置を作製し、どの列が暗いかを評価した上で、その列に配置された発光素子の一部を他の列に対応する駆動部にて駆動するようにすることが好ましい。
【００１８】
以下、実施の形態１に係る表示装置１００の主な構成要素について簡単に説明する。
【００１９】
（表示部１０）
表示部１０は、行方向（図の横方向）にＣ１、Ｃ２を含む６つのコモンラインＣを互いに平行に配置し、これと交差する列方向（図の縦方向）に６つのセグメントラインＳを互いに平行に配置して碁盤目状に構成している。各コモンラインＣと各セグメントラインＳとの間には発光素子１が接続されており、６×６の計３６個の発光素子１が行列配置されている。ここでは、各列の発光素子１のカソード端子がそれぞれセグメントラインＳに接続され、各行の発光素子１のアノード端子がそれぞれコモンラインＣに接続されている。
【００２０】
（発光素子１）
発光素子１には、半導体発光素子が利用でき、特に発光ダイオード（ＬＥＤ）が好適に利用できる。ただ、本発明は発光素子１をＬＥＤに限定するものでなく、半導体レーザなどの他の発光素子においても同様に適用することができる。この例では、発光素子１としてＬＥＤを用いている。発光素子１は基板に配置される。
【００２１】
（走査部２０）
走査部２０は、コモンラインＣにそれぞれ接続された６個のスイッチ（図示せず）を備える。スイッチは各種トランジスタ等で構成される。走査部２１は、外部から入力されるデータに基づいて、例えば、それぞれのスイッチを列方向に順次ＯＮ／ＯＦＦ制御してコモンラインＣをＣ１からＣ６に順に電圧源と接続することにより、時分割で全てのコモンラインＣ１〜Ｃ６に所定の電圧（例えば５Ｖ）をかけることができる。
【００２２】
（駆動ＩＣ３０）
駆動ＩＣ３０は、セグメントラインＳにそれぞれ接続される複数の駆動部３１を備え、外部から入力されるデータに基づいて発光素子１を駆動するための集積回路である。駆動ＩＣ３０内部に設けられた駆動部３１により、各発光素子１は、入力データに基づいて所定のタイミングで所定の期間だけ定電流駆動される。
＜実施の形態２＞
図２に、実施の形態２に係る表示装置２００のブロック図を示す。発光装置２００は、第２発光素子１−２と第４発光素子１−４とが異なる列に配置されている点で実施の形態１に係る発光装置１００と異なる。
【００２３】
つまり、実施の形態１では２つの列において駆動部を部分的に入れ替えているが、実施の形態２では３つの列において駆動部を部分的に入れ替えている。具体的には、実施の形態１の構成に加えて、第１発光素子１−１と同じ行で第４発光素子１−４と同じ列に第５発光素子１−５が配置され、第３発光素子１−３と同じ行で第２発光素子１−２と同じ列に第６発光素子１−６が配置されている。第５発光素子１−５及び第６発光素子１−６には第３駆動部３１−３が接続されている。本実施の形態では、３列の発光素子を駆動する駆動部を互いに混在させているので、２列の発光素子を駆動する駆動部を混在させた実施の形態１に比較して、列間の明るさのばらつきをより軽減させることができる。なお、４以上の列において駆動部を入れ駆ることもできることは言うまでもない。
【００２４】
ここでは、発光素子１が６行×６列で配置された構成としたが、列数及び行数は任意に設定することができる。また、本明細書において「行」と「列」との関係は相対的なものであり、必ずしも「行」が水平方向で「列」が鉛直方向を示すものではない。例えば、図１及び図２を９０度回転させた態様であっても、本発明の範囲内とする。
【産業上の利用可能性】
【００２５】
本発明に係る表示装置を用いれば、様々なアプリケーションに柔軟に対応できる。例えば、ビルの側壁に配置される大型ディスプレイ、駅構内の案内表示板に利用できる。
【符号の説明】
【００２６】
１００、２００…表示装置
１…発光素子
１０…表示部
２０…走査部
３０…駆動ＩＣ
３１…駆動部
Ｃ…コモンライン
Ｓ…セグメントライン
【図１】
2012155066.tif 000003
【図２】
2012155066.tif 000004